(57)【要約】【課題】通信不良が発生した場合でも、光源の調光制御を行うことができる照明システムを提供する。【解決手段】光源３１と点灯回路３２と調光制御部３３とを有する照明器具３と、検知部２１を有するセンサ２と、検知部２１の検知結果に基づいた第１の調光信号を生成する第１の調光信号生成部１１１を有する親機１と、センサ２から親機１に向かって検知結果が送信され、親機１から照明器具３に向かって第１の調光信号が送信される一連の通信経路における通信不良を検出する通信不良検出部１２，３３１と、通信不良検出部１２，３３１が通信経路における通信不良を検出した際に、第２の調光信号を生成する第２の調光信号生成部４ａ，４ｂとを備え、通信経路において第２の調光信号生成部４ａ，４ｂよりも上流側で通信不良が発生した場合、調光制御部３は、第２の調光信号に基づいて光源３１の調光制御を行う。【選択図】図１
2012227014.tif 000002
【特許請求の範囲】
【請求項１】
光を照射する光源と、当該光源を点灯させる点灯回路と、当該点灯回路を制御することで、前記光源の調光制御を行う調光制御部とを有する１乃至複数の照明器具と、
検知対象の状態を検知する検知部を有する１乃至複数のセンサ部と、
前記照明器具および前記センサ部と通信し、前記検知部の検知結果に基づいた第１の調光信号を生成して前記照明器具に送信する第１の調光信号生成部を有する親機と、
前記センサ部から前記親機に向かって前記検知結果が送信され、前記親機から前記照明器具に向かって前記第１の調光信号が送信される一連の通信経路における通信不良を検出する通信不良検出部と、
前記通信不良検出部が前記通信経路における通信不良を検出した際に、第２の調光信号を生成する第２の調光信号生成部とを備え、
前記通信不良検出部が、前記通信経路における通信不良を検出していない場合、前記調光制御部は、前記第１の調光信号に基づいて前記光源の調光制御を行い、
前記通信経路において前記第２の調光信号生成部よりも上流側で前記通信不良が発生した場合、前記第２の調光信号生成部が前記第２の調光信号を生成し、前記調光制御部は、前記第２の調光信号に基づいて前記光源の調光制御を行うことを特徴とする照明システム。
【請求項２】
現在の時刻を計時する計時部を備え、
前記通信不良検出部が前記通信経路における通信不良を検出した場合、前記第２の調光信号生成部は、前記計時部が計時している現在の時刻に応じて前記光源の調光率を変化させる前記第２の調光信号を生成することを特徴とする請求項１記載の照明システム。
【請求項３】
前記通信経路は、前記センサ部から前記親機に前記検知結果が送信される第１の通信経路と、前記親機から前記照明器具に前記第１の調光信号が送信され、前記第１の通信経路と異なる第２の通信経路とで構成されており、
前記親機は、前記第１の通信経路における通信不良を検出する前記通信不良検出部と、前記第２の調光信号生成部とを有し、
前記第２の調光信号生成部は、前記光源の点灯パターンを記憶したパターン記憶部を有しており、
前記通信不良検出部が前記第１の通信経路における通信不良を検出した場合、前記第２の調光信号生成部は、前記パターン記憶部に記憶された前記点灯パターンに基づいて前記第２の調光信号を生成して前記調光制御部に送信することを特徴とする請求項１または２記載の照明システム。
【請求項４】
前記通信経路は、前記センサ部から前記親機に前記検知結果が送信される第１の通信経路と、前記親機から前記照明器具に前記第１の調光信号が送信され、前記第１の通信経路と異なる第２の通信経路とで構成されており、
前記照明器具は、前記第２の通信経路における通信不良を検出する前記通信不良検出部と、前記第２の調光信号生成部と、自己の状態情報を記憶する状態記憶部とを有し、
前記第２の調光信号生成部は、前記光源の点灯パターンを記憶したパターン記憶部を有しており、
前記通信不良検出部が前記第２の通信経路における通信不良を検出した場合、前記第２の調光信号生成部は、前記パターン記憶部に記憶された前記点灯パターンに基づいて前記第２の調光信号を生成し、
前記通信不良検出部が前記第２の通信経路における通信不良が解消されたことを検出した場合、前記照明器具は、前記状態記憶部に記憶されている前記状態情報を前記親機に送信することを特徴とする請求項１乃至３のいずれか１項に記載の照明システム。
【請求項５】
前記親機と前記照明器具との間で授受される信号を中継する中継器を備え、
前記通信経路は、前記センサ部から前記親機に前記検知結果が送信される第１の通信経路と、前記親機から前記中継器に前記第１の調光信号が送信される第３の通信経路および、前記中継器から前記照明器具に前記第１の調光信号が送信される第４の通信経路からなり、前記第１の通信経路と異なる第２の通信経路とで構成されており、
前記中継器は、前記第３の通信経路における通信不良を検出する前記通信不良検出部と、自己と通信を行う前記照明器具の状態情報を取得して記憶する状態記憶部とを有し、
前記第２の調光信号生成部は、前記光源の点灯パターンを記憶したパターン記憶部を有しており、
前記通信不良検出部が前記第３の通信経路における通信不良を検出した場合、前記第２の調光信号生成部は、前記パターン記憶部に記憶された前記点灯パターンに基づいて前記第２の調光信号を生成し、
前記通信不良検出部が前記第３の通信経路における通信不良が解消されたことを検出した場合、前記中継器は、前記状態記憶部に記憶されている前記状態情報を前記親機に送信することを特徴とする請求項１乃至４のいずれか１項に記載の照明システム。
【請求項６】
前記親機と、前記照明器具および前記センサ部との間で授受される信号を中継する中継器を備え、
前記通信経路は、前記親機と前記中継器との間で前記第１の調光信号および前記検知結果が授受される第５の通信経路と、前記中継器と前記照明器具および前記センサ部との間で前記第１の調光信号および前記検知結果が授受される第６の通信経路とで構成されており、
前記中継器は、前記第５の通信経路における通信不良を検出する前記通信不良検出部と、前記第２の調光信号生成部とを有し、
前記通信不良検出部が前記第５の通信経路における通信不良を検出した場合、前記第２の調光信号生成部は、前記検知結果に基づいて前記第２の調光信号を生成して前記調光制御部に送信することを特徴とする請求項１記載の照明システム。
【請求項７】
前記親機と、前記照明器具および前記センサ部との間で授受される信号を中継する中継器を備え、
前記通信経路は、前記親機と前記中継器および前記センサ部との間で前記第１の調光信号および前記検知結果が授受される第５の通信経路と、前記中継器と前記照明器具および前記センサ部との間で前記第１の調光信号および前記検知結果が授受される第６の通信経路とで構成されており、
前記照明器具は、前記第６の通信経路における通信不良を検出する前記通信不良検出部と、前記第２の調光信号生成部とを有し、
前記通信不良検出部が前記第６の通信経路における通信不良を検出した場合、前記第２の調光信号生成部は、前記検知結果に基づいて前記第２の調光信号を生成することを特徴とする請求項１または６記載の照明システム。
【発明の詳細な説明】
【技術分野】
【０００１】
本発明は、照明システムに関するものである。
【背景技術】
【０００２】
従来、複数の照明器具と、この照明器具の点灯制御を行う親機とを備える照明システムがある（例えば、特許文献１参照）。
【０００３】
図７に従来の照明システムのブロック構成図を示す。この照明システムは、親機１０１と、センサ１０２ａと、スイッチ１０２ｂと、ブースタ１０３と、制御ブロック１０４と、照明器具１０５とで構成されている。
【０００４】
親機１０１とセンサ１０２ａ，スイッチ１０２ｂは、通信線Ｌ１０１で接続されている。センサ１０２ａは、人感センサや明るさセンサ等で構成されており、検知対象の状態を検知し、その検知結果を通信線Ｌ１０１を介して親機１０１に送信する。また、スイッチ１０２ｂは、消灯・点灯を切り替える切替信号を通信線Ｌ１０１を介して親機１０１に送信する。
【０００５】
そして、親機１０１は、センサ１０２ａの検知結果またはスイッチ１０２ｂの切替信号に基づいて、調光信号を生成し、制御ブロック１０４に送信する。
【０００６】
この照明システムでは、親機１０１による制御ブロック１０４（照明器具１０５）の制御台数を増加させるためにブースタ１０３を備えている。親機１０１とブースタ１０３とは通信線Ｌ１０２で接続されており、ブースタ１０３と複数の制御ブロック１０４とは通信線Ｌ１０３で接続されている。そして、ブースタ１０３は、親機１０１から通信線Ｌ１０２を介して受信する調光信号を中継し、通信線Ｌ１０３を介して各制御ブロック１０４に送信する。
【０００７】
各制御ブロック１０４には、照明器具１０５が接続されており、制御ブロック１０４が受信した調光信号に基づいて、照明器具１０５に設けられている光源の調光制御を行う。
【０００８】
また、図７に示す照明システムでは、センサ１０２ａは単体で構成されているが、図８に示すように、制御ブロック１０４に取り付けられるプラグインセンサ１０２ｃで構成されていてもよい。この場合、プラグインセンサ１０２ｃの検知結果は、制御ブロック１０４からブースタ１０３および通信線Ｌ１０２，Ｌ１０３を介して親機１０１に送信される。そして、親機１０１が受信した検知結果に基づいて調光信号を生成し、ブースタ１０３および通信線Ｌ１０２，Ｌ１０３を介して制御ブロック１０４に送信される。
【先行技術文献】
【特許文献】
【０００９】
【特許文献１】特開平１１−７４０８９号公報
【発明の概要】
【発明が解決しようとする課題】
【００１０】
従来の照明システムでは、通信線Ｌ１０１〜Ｌ１０３に断線等が発生し、通信不良になった場合、以下の問題がある。
【００１１】
通信線Ｌ１０１が断線して通信不良となった場合、親機１０１がセンサ１０２ａ，スイッチ１０２ｂ，プラグインセンサ１０２ｃからの信号（検知結果，切替信号）を受信できなくなり、調光信号を生成することができなくなる。それによって、照明器具１０５に具備された光源の調光制御を行うことができなくなる。
【００１２】
また、通信線Ｌ１０２，Ｌ１０３が断線して通信不良となった場合、照明器具１０５が親機１０１から送信される調光信号を受信することができなくなり、光源の調光制御を行うことができなくなる。
【００１３】
すなわち、通信線Ｌ１０１〜Ｌ１０３を含む通信経路において通信不良が発生した場合、光源の調光制御を行うことができなくなる。例えば、光源が消灯しているときに、通信線Ｌ１０１〜Ｌ１０３のうちいずれか１つでも断線した場合、光源を点灯させることができなくなる。
【００１４】
本発明は、上記事由に鑑みてなされたものであり、その目的は、通信不良が発生した場合でも、光源の調光制御を行うことができる照明システムを提供することにある。
【課題を解決するための手段】
【００１５】
本発明の照明システムは、光を照射する光源と、当該光源を点灯させる点灯回路と、当該点灯回路を制御することで、前記光源の調光制御を行う調光制御部とを有する１乃至複数の照明器具と、検知対象の状態を検知する検知部を有する１乃至複数のセンサ部と、前記照明器具および前記センサ部と通信し、前記検知部の検知結果に基づいた第１の調光信号を生成して前記照明器具に送信する第１の調光信号生成部を有する親機と、前記センサ部から前記親機に向かって前記検知結果が送信され、前記親機から前記照明器具に向かって前記第１の調光信号が送信される一連の通信経路における通信不良を検出する通信不良検出部と、前記通信不良検出部が前記通信経路における通信不良を検出した際に、第２の調光信号を生成する第２の調光信号生成部とを備え、前記通信不良検出部が、前記通信経路における通信不良を検出していない場合、前記調光制御部は、前記第１の調光信号に基づいて前記光源の調光制御を行い、前記通信経路において前記第２の調光信号生成部よりも上流側で前記通信不良が発生した場合、前記第２の調光信号生成部が前記第２の調光信号を生成し、前記調光制御部は、前記第２の調光信号に基づいて前記光源の調光制御を行うことを特徴とする。
【００１６】
この照明システムにおいて、現在の時刻を計時する計時部を備え、前記通信不良検出部が前記通信経路における通信不良を検出した場合、前記第２の調光信号生成部は、前記計時部が計時している現在の時刻に応じて前記光源の調光率を変化させる前記第２の調光信号を生成することが好ましい。
【００１７】
この照明システムにおいて、前記通信経路は、前記センサ部から前記親機に前記検知結果が送信される第１の通信経路と、前記親機から前記照明器具に前記第１の調光信号が送信され、前記第１の通信経路と異なる第２の通信経路とで構成されており、前記親機は、前記第１の通信経路における通信不良を検出する前記通信不良検出部と、前記第２の調光信号生成部とを有し、前記第２の調光信号生成部は、前記光源の点灯パターンを記憶したパターン記憶部を有しており、前記通信不良検出部が前記第１の通信経路における通信不良を検出した場合、前記第２の調光信号生成部は、前記パターン記憶部に記憶された前記点灯パターンに基づいて前記第２の調光信号を生成して前記調光制御部に送信することを特徴とすることが好ましい。
【００１８】
この照明システムにおいて、前記通信経路は、前記センサ部から前記親機に前記検知結果が送信される第１の通信経路と、前記親機から前記照明器具に前記第１の調光信号が送信され、前記第１の通信経路と異なる第２の通信経路とで構成されており、前記照明器具は、前記第２の通信経路における通信不良を検出する前記通信不良検出部と、前記第２の調光信号生成部と、自己の状態情報を記憶する状態記憶部とを有し、前記第２の調光信号生成部は、前記光源の点灯パターンを記憶したパターン記憶部を有しており、前記通信不良検出部が前記第２の通信経路における通信不良を検出した場合、前記第２の調光信号生成部は、前記パターン記憶部に記憶された前記点灯パターンに基づいて前記第２の調光信号を生成し、前記通信不良検出部が前記第２の通信経路における通信不良が解消されたことを検出した場合、前記照明器具は、前記状態記憶部に記憶されている前記状態情報を前記親機に送信することが好ましい。
【００１９】
この照明システムにおいて、前記親機と前記照明器具との間で授受される信号を中継する中継器を備え、前記通信経路は、前記センサ部から前記親機に前記検知結果が送信される第１の通信経路と、前記親機から前記中継器に前記第１の調光信号が送信される第３の通信経路および、前記中継器から前記照明器具に前記第１の調光信号が送信される第４の通信経路からなり、前記第１の通信経路と異なる第２の通信経路とで構成されており、前記中継器は、前記第３の通信経路における通信不良を検出する前記通信不良検出部と、自己と通信を行う前記照明器具の状態情報を取得して記憶する状態記憶部とを有し、前記第２の調光信号生成部は、前記光源の点灯パターンを記憶したパターン記憶部を有しており、前記通信不良検出部が前記第３の通信経路における通信不良を検出した場合、前記第２の調光信号生成部は、前記パターン記憶部に記憶された前記点灯パターンに基づいて前記第２の調光信号を生成し、前記通信不良検出部が前記第３の通信経路における通信不良が解消されたことを検出した場合、前記中継器は、前記状態記憶部に記憶されている前記状態情報を前記親機に送信することが好ましい。
【００２０】
この照明システムにおいて、前記親機と、前記照明器具および前記センサ部との間で授受される信号を中継する中継器を備え、前記通信経路は、前記親機と前記中継器との間で前記第１の調光信号および前記検知結果が授受される第５の通信経路と、前記中継器と前記照明器具および前記センサ部との間で前記第１の調光信号および前記検知結果が授受される第６の通信経路とで構成されており、前記中継器は、前記第５の通信経路における通信不良を検出する前記通信不良検出部と、前記第２の調光信号生成部とを有し、前記通信不良検出部が前記第５の通信経路における通信不良を検出した場合、前記第２の調光信号生成部は、前記検知結果に基づいて前記第２の調光信号を生成して前記調光制御部に送信することが好ましい。
【００２１】
この照明システムにおいて、前記親機と、前記照明器具および前記センサ部との間で授受される信号を中継する中継器を備え、前記通信経路は、前記親機と前記中継器および前記センサ部との間で前記第１の調光信号および前記検知結果が授受される第５の通信経路と、前記中継器と前記照明器具および前記センサ部との間で前記第１の調光信号および前記検知結果が授受される第６の通信経路とで構成されており、前記照明器具は、前記第６の通信経路における通信不良を検出する前記通信不良検出部と、前記第２の調光信号生成部とを有し、前記通信不良検出部が前記第６の通信経路における通信不良を検出した場合、前記第２の調光信号生成部は、前記検知結果に基づいて前記第２の調光信号を生成することが好ましい。
【発明の効果】
【００２２】
以上説明したように、本発明では、通信不良が発生した場合でも、光源の調光制御を行うことができるという効果がある。
【図面の簡単な説明】
【００２３】
【図１】本発明の実施形態１の照明システムのブロック構成図である。
【図２】（ａ）通信線Ｌ２の概略図である（ｂ）デジタル信号の波形図である
【図３】調光制御部の送受信部の回路構成図である。
【図４】デジタル信号の波形図である。
【図５】実施形態２の照明システムのブロック構成図である。
【図６】実施形態３の照明システムのブロック構成図である。
【図７】従来の照明システムのブロック構成図である。
【図８】従来の照明システムのブロック構成図である。
【発明を実施するための形態】
【００２４】
以下、本発明の実施の形態を図面に基づいて説明する。
【００２５】
（実施形態１）
本実施形態の照明システムのブロック構成図を図１に示す。本実施形態の照明システムは、親機１とセンサ２ａ，２ｂと照明器具３ａ，３ｂとで構成されており、親機１とセンサ２ａ，２ｂとは通信線Ｌ１で接続され、親機１と照明器具３ａ，３ｂとは通信線Ｌ２で接続されている。なお、センサ２ａ，２ｂを個別に識別しない場合はセンサ２と称し、照明器具３ａ，３ｂを個別に識別しない場合は照明器具３と称す。
【００２６】
そして、親機１は、センサ２から送信される検知結果に基づいて調光信号を生成して照明器具３に送信し、照明器具３は受信した調光信号に基づいて光源３１の調光制御を行う。また、センサ２および照明器具３は、各々に識別情報（固有アドレス）が割り当てられており、親機１はセンサ２と照明器具３とを対応付けたデータテーブルを記憶している。そして、親機１は、センサ２から検知結果を受信した場合、このセンサ２に対応付けられた照明器具３に対して、調光信号を送信する。以下に、本実施形態の照明システムの具体的な構成について説明する。
【００２７】
本実施形態の照明システムでは、センサ２ａ，２ｂが互いに並列接続されており、各々が通信線Ｌ１を介して親機１に接続されている。
【００２８】
センサ２は、人感センサや明るさセンサ等で構成されており、検知部２１と送受信部２２と記憶部２３とを備えている。検知部２１は、検知対象（人の在・不在，明るさなど）の状態を検知している。記憶部２３は、自己の識別情報を記憶している。送受信部２２は、記憶部２３に記憶されている自己の識別情報を、検知部２１の検知結果に付加し、一定時間毎に通信線Ｌ１を介して親機１に送信している。
【００２９】
親機１は、演算処理を行う制御部１１と、センサ２および照明器具３との間で信号の授受を行う送受信部１２と、記憶部１３とを備えている。
【００３０】
制御部１１は、センサ２から送信される検知結果に基づいて、照明器具３の光源３１の調光率を示す第１の調光信号を生成する第１の調光信号生成部１１１を備えている。記憶部１３は、センサ２と照明器具３との識別情報を対応付けたデータテーブルを記憶している。なお、本実施形態では、センサ２ａは照明器具３ａに対応付けられ、センサ２ｂは照明器具３ｂに対応付けられている。
【００３１】
そして、親機１がセンサ２から送信される検知結果を受信すると、第１の調光信号生成部１１１は、受信した検知結果に基づいて、このセンサ２に対応付けられた照明器具３に対して、第１の調光信号を送信する。例えば、センサ２ａの検知結果を受信した場合、照明器具３ａ宛てに第１の調光信号を送信する。
【００３２】
また、親機１は、照明器具３の状態情報（点灯時間，消費電力，ランプ異常など）を各照明器具３から取得して、記憶部１３に記憶している。
【００３３】
また、親機１から照明器具３に設定信号を送信することで、照明器具３の設定を行うことができる。
【００３４】
照明器具３ａ，３ｂは、互いに並列接続されており、各々が通信線Ｌ２を介して親機１に接続されている。照明器具３は、光源３１と、光源３１を点灯させる点灯回路３２と、点灯回路３２を制御することで、光源３１の調光制御を行う調光制御部３３とで構成されている。
【００３５】
光源３１は、蛍光灯やＬＥＤ，有機ＥＬなど、照明用途で用いられるものであって、種類は限定しない。
【００３６】
点灯回路３２は、調光制御部３３から出力されるＰＷＭ信号のデューティ比に応じて、光源３１に供給する電力を変動させることで、光源３１の調光率を変動させる。
【００３７】
調光制御部３３は、親機１との間で信号の授受を行う送受信部３３１と、演算処理を行う制御部３３２と、記憶部３３３とを備えている。
【００３８】
記憶部３３３には、自己の識別情報と、自己の状態情報（点灯時間，消費電力，ランプ異常など）と、第１の調光信号が示す調光率と点灯回路３２に出力するＰＷＭ信号のデューティ比とを対応付けたデータテーブル（調光テーブル）とを記憶している。
【００３９】
上記構成によって、本実施形態の照明システムは、センサ２から送信される検知結果に基づいて第１の調光信号を生成し、このセンサ２に対応付けられた照明器具３に対して第１の調光信号を出力して、光源３１の調光制御を行っている。すなわち、本実施形態の照明システムは、センサ２から通信線Ｌ１を介して親機１に検知結果が送信される第１の通信経路Ｋ１と、親機１から通信線Ｌ２を介して照明器具３に第１の調光信号が送信される第２の通信経路Ｋ２とからなる一連の通信経路を用いて、センサ２の検知結果に基づいた光源３１の調光制御を行っている。
【００４０】
また、通信線Ｌ２は、ＣＰＥＶ線（市内対ポリエチレン絶縁ビニルシースケーブル）やＡＥ線（警報用ポリエチレン絶縁ビニルシースケーブル）などで構成されており、図２（ａ）に示すように、一対の信号線が一体に形成されている。そして、図２（ｂ）に示すように、通信線Ｌ２の信号線間の電圧を変動させ、ハイレベルとローレベルとを繰り返すデジタル信号の伝達を行う。なお、図２（ａ）には、親機１と照明器具３とを接続する通信線Ｌ２のみを示しているが、親機１とセンサ２とを接続する通信線Ｌ１も同様に構成されている。なお、本実施形態では、親機１とセンサ２および照明器具３とを通信線Ｌ１，Ｌ２を用いて有線接続しているが、ＩＲ信号やＲＦ信号などの無線信号を用いる無線接続であってもよい。
【００４１】
次に、図３を用いて、親機１と照明器具３との間で伝達されるデジタル信号の送受信方法を説明する。なお、図３では、照明器具３に具備された送受信部３３１の具体的な構成のみを示しており、親機１に具備された送受信部１２およびセンサ２に具備された送受信部２２は、送受信部３３１と同様の構成を備えているため説明は省略する。
【００４２】
通信線Ｌ２の信号線間には、直流電源Ｅ１が接続されており、電圧Ｖ１が常時印加されている。送受信部１２，３３１は、通信線Ｌ２の線間電圧を検出することでデジタル信号を受信し、通信線Ｌ２の線間電圧を電圧Ｖ１・０Ｖに変動させることでデジタル信号を送信する。
【００４３】
送受信部３３１は、マイクロコンピュータ３３１ａ（以降、マイコン３３１ａと略称する）とスイッチ３３１ｂと抵抗３３１ｃとを備えている。スイッチ３３１ｂおよび抵抗３３１ｃは、互いに並列接続され、通信線Ｌ２の信号線間に接続されている。マイコン３３１ａは、通信線Ｌ２の線間電圧を検出することで親機１から送信されるデジタル信号を受信する。また、マイコン３３１ａは、スイッチ３３１ｂのオン・オフを繰り返すことで、親機１にデジタル信号を送信する。なお、デジタル信号を送信する際に通信線Ｌ２の信号線間を短絡させたときに直流電源Ｅ１から大電流が流れるので、これを防止するために電流制限抵抗Ｒ１が直流電源Ｅ１に直列接続されている。
【００４４】
図４に、親機１と照明器具３との間で授受されるデジタル信号の波形を示す。
【００４５】
親機１の送受信部１２は、一定時間毎に上記の方法を用いて照明器具３にデジタル信号を送信する（期間Ｔ１）。このとき、親機１から照明器具３に送信されるデジタル信号は、センサ２の検知結果に基づいた第１の調光信号や、照明器具３の状態情報の要求信号や、照明器具３の設定信号などが含まれ、送信先の照明器具３の識別情報が付加されている。
【００４６】
照明器具３は、親機１から自己宛のデジタル信号を受信すると、このデジタル信号に基づいた動作（光源３１の調光制御や設定など）を行い、親機１にデジタル信号を返信する（期間Ｔ２）。このとき、照明器具３から親機１に返信されるデジタル信号は、調光制御完了信号や、自己の状態情報や、設定完了信号などが含まれ、自己の識別情報が付加されている。
【００４７】
そして、親機１の送受信部１２は、一定時間毎に照明器具３から返信されるデジタル信号を受信することで、第２の通信経路Ｋ２の通信状態が正常であると判断する。また、照明器具３の送受信部３３１（マイコン３３１ａ）は、一定時間毎に親機１から送信されるデジタル信号を受信することで、第２の通信経路Ｋ２の通信状態が正常であると判断する。
【００４８】
しかし、親機１の送受信部１２または照明器具３の送受信部３３１が故障し、第２の通信経路Ｋ２を介したデジタル信号の授受が不能になると、図４の期間Ｔ３に示すように、通信線Ｌ２の線間電圧が電圧Ｖ１に固定される。親機１の送受信部１２および照明器具３の送受信部３３１は、通信線Ｌ２の線間電圧が所定期間以上継続して電圧Ｖ１のまま固定されている場合、第２の通信経路Ｋ２において、通信不良が発生したと判断する。
【００４９】
また、通信線Ｌ２の信号線間が短絡し、第２の通信経路Ｋ２を介したデジタル信号の授受が不能になると、図４の期間Ｔ３に示すように、通信線Ｌ２の線間電圧が０Ｖに固定される。親機１の送受信部１２および照明器具３の送受信部３３１は、通信線Ｌ２の線間電圧が所定期間以上継続して０Ｖのまま固定されている場合、第２の通信経路Ｋ２において、通信不良が発生したと判断する。
【００５０】
すなわち、通信線Ｌ２の線間電圧が所定期間以上継続して変化しない場合、送受信部１２，３３１は、第２の通信経路Ｋ２において、通信不良が発生したと判断する。
【００５１】
このように、本実施形態の送受信部１２，３３１は、第２の通信経路Ｋ２における通信不良を検出する通信不良検出部としても機能する。
【００５２】
また、上記同様に、親機１の送受信部１２は、第１の通信経路Ｋ１における通信不良を検出する通信不良検出部としても機能する。
【００５３】
なお、ＲＳ２３２などでのシリアル通信を用いてデジタル信号を送受信する場合でも、上記の方法によって通信不良を検出することができる。
【００５４】
次に、第１の通信経路Ｋ１における通信不良が発生した場合について説明する。
【００５５】
センサ２の送受信部２２の故障や、通信線Ｌ１の断線等によって第１の通信経路Ｋ１に通信不良が発生した場合、親機１はセンサ２の検知結果を得ることができなくなり、第１の調光信号生成部１１１が第１の調光信号を生成することができなくなる。そこで、本実施形態では、送受信部１２が第１の通信経路Ｋ１における通信不良を検出した際に、第２の調光信号を生成する第２の調光信号生成部４ａを、親機１の制御部１１に備えている。また、記憶部１３には、送受信部１２が第１の通信経路Ｋ１における通信不良を検出した際に用いる光源３１の点灯パターンが格納されている。なお、記憶部１３が本願発明のパターン記憶部に相当する。
【００５６】
そして、第２の調光信号生成部４ａは、記憶部１３に格納されている光源３１の点灯パターンに基づいて第２の調光信号を生成する。具体的には、第２の調光信号生成部４ａは、記憶部１３に記憶されている点灯パターンに基づいて、所定の調光率を示す第２の調光信号を生成し、送受信部１２を用いて照明器具３に送信する。そして、照明器具３の調光制御部３３は、この第２の調光信号に基づいて点灯回路３２に出力するＰＷＭ信号のデューティ比を制御することで、光源３１が所定の調光率となるように調光制御を行う。
【００５７】
また、通信不良が発生した際に、親機１の制御部１１が現在の時刻に応じて光源３１の調光率を変動させるように構成してもよい。この場合、親機１の制御部１１が現在の時刻を計時する計時部１１２を備えており、第２の調光信号生成部４ａが、計時部１１２が計時した現在の時刻に応じて光源３１の調光率を変化させる第２の調光信号を生成し、調光制御部３３に送信する。
【００５８】
例えば、光源３１が消灯している夜中の時間帯に、第１の通信経路Ｋ１における通信不良を検出した場合、光源３１の消灯状態を継続させ、朝になると光源３１を点灯させ、夜中に再び消灯する。また、光源３１が消灯している夜中以外の時間に、第１の通信経路Ｋ１における通信不良を検出した場合、光源３１を所定の調光率で点灯させ、夜中になると光源３１を消灯し、朝に再び点灯させる。また、光源３１が所定の調光率で点灯しているときに通信不良を検出した場合、所定の調光率を維持して光源３１の点灯状態を継続させ、夜中に光源３１を消灯して、朝に再び点灯させる。このように、上記制御を行うことで、夜中の時間帯は光源３１を消灯させ、夜中以外の時間帯に光源３１を点灯させる。
【００５９】
すなわち、第２の調光信号生成部４ａは、現在の時刻に応じて光源３１の調光率を変化させることで、正常時は消灯している夜中などに点灯することを防止することができる。なお、上記の時刻に応じた制御は一例であって、上記に限定するものではなく、複数の制御を組み合わせてもよい。また、通信不良を検出した際に、一定時間は現在の調光率を維持し、一定時間経過後に光源３１を全点灯するようにフェード調光させてもよい。
【００６０】
信号線Ｌ１，Ｌ２の短絡した際などに、光源３１の調光率を強制的に全点灯させる通信システムでは、夜中の人のいない時間に光源３１が全点灯したり、常時５０％の調光率で点灯させているエリアで光源３１が全点灯してしまう問題があった。それによって、執務者や管理者にとって不快な思いをさせていた。しかし、本実施形態では、通信不良が発生した際に、現在の時刻に応じて光源３１の調光率を変動させたり、光源３１を予め設定された調光率にすることができるので、上記問題を解消することができる。
【００６１】
このように、本実施形態の照明システムは、センサ２の検知結果に基づいて光源３１の調光制御を行う一連の通信経路において、第２の調光信号生成部４ａよりも上流側で通信不良が発生した場合でも、光源３１の調光制御を行うことができる。
【００６２】
また、親機１に報知部１４を備え、第１の通信経路Ｋ１における通信不良を検出した際に、ユーザーに通信不良状態であることを報知するように構成してもよい。報知部１４の構成は特に限定するものではなく、例えば、報知用ＬＥＤ等で構成され、通信不良を検出した際に点灯または点滅させる。また、照明器具３の光源３１を報知部１４と兼用し、通信不良を検出した際に光源３１を点滅させてもよい。また、親機１とパソコンなどの外部端末とを有線または無線で接続し、通信不良を検出した際に異常状態を示すデジタル信号を送信するように構成してもよい。
【００６３】
また、センサ２ａのみが故障し、センサ２ｂが正常である場合、上記で説明したように、親機１はセンサ２ａに対応付けられた照明器具３ａには第２の調光信号を送信する。また、親機１は、センサ２ｂの検知結果を受信することができるので、センサ２ｂに対応付けられた照明器具３ｂには、センサ２ｂの検知結果に基づいた第１の調光信号を送信する。
【００６４】
また、照明器具３の制御部３３２にも第２の調光制御部４ｂが備えられていてもよい。この場合、記憶部３３３に、送受信部３３１が第２の通信経路Ｋ２における通信不良を検出した際に用いる光源３１の点灯パターンを記憶しておく。
【００６５】
親機１の送受信部１２の故障や、通信線Ｌ２の断線等によって第２の通信経路Ｋ２に通信不良が発生した場合、照明器具３は親機１からの第１からの調光信号（デジタル信号）を受信することができなくなる。しかし、照明器具３が第２の調光制御部４ｂを備えていることによって、第２の通信経路Ｋ２に通信不良が発生した場合でも、第２の調光制御部４ａと同様に第２の調光制御部４ｂが第２の調光信号を生成することができる。そして、第２の調光信号に基づいて、光源３１を調光制御することができる。
【００６６】
また、照明器具３にも計時部を設け、第２の調光信号生成部が、計時部が計時した現在の時刻に応じて光源３１の調光率を変化させてもよい。
【００６７】
また、照明器具３にも報知部を設け、通信不良を検出した際に、ユーザーに異常状態を報知するように構成してもよい。
【００６８】
なお、本実施形態の照明システムでは、２つのセンサ２および照明器具３を備えているが、さらに多くのセンサ２および照明器具３を備えた構成であってもよい。
【００６９】
（実施形態２）
本実施形態の照明システムのブロック構成図を図５に示す。本実施形態の照明システムは、実施形態１の照明システムの構成に加えて、親機１と照明器具３との間の第２の通信経路Ｋ２に、親機１と照明器具３との間で授受される信号を中継する中継器５が介挿されている。なお、実施形態１と同様の構成には、同一符号を付して説明は省略する。
【００７０】
本実施形態における第２の通信経路Ｋ２は、親機１と中継器５との間でデジタル信号の授受を行う第３の通信経路Ｋ３と、中継器３と照明器具３との間でデジタル信号の授受を行う第４の通信経路Ｋ４とで構成されている。
【００７１】
中継器５は、演算処理を行う制御部５１と、親機１および照明器具３との間で信号の授受を行う送受信部５２と、自己と通信を行う照明器具３の状態情報を記憶する記憶部５３とで構成されている。中継器５は、親機１が制御できる照明器具３の台数を増やすために用いられており、送受信部５２が親機１から照明器具３に向けて送信されるデジタル信号を受信し、制御部５１が信号を再構築して照明器具３に送信する中継機能を備えている。同様に、照明器具３から親機１に送信されるデジタル信号の中継も行う。なお、中継器５は、親機１と照明器具３との間で授受されるデジタル信号を変換する変換機能を備えていてもよい。
【００７２】
また、中継器５は、照明器具３から親機１に返信される状態情報を中継する際に、この状態情報を記憶部５３に記憶している。
【００７３】
そして、中継器５は、親機１から定期的に送信されるデジタル信号を受信することによって、第３の通信経路Ｋ３が正常であることを認識する。
【００７４】
しかし、親機１の故障や、通信経路Ｌ３の断線などによって、第３の通信経路Ｋ３に通信不良が発生した場合、実施形態１と同様に、照明器具３は親機１から定期的に送信されるデジタル信号を受信できなくなるので、第２の調光信号生成部４ｂが第２の調光信号を生成する。それによって、光源３１を調光制御することができる。
【００７５】
このとき、第４の通信経路Ｋ４は正常なので、中継器５は、自己に接続されている照明器具３に対して定期的に状態情報の要求信号を送信し、親機１の代わりに照明器具３から状態情報を取得して記憶部５３に記憶する。そして、第３の通信経路Ｋ３の通信不良が解消されると、中継器５は記憶部５３に記憶されている照明器具３の状態情報を親機１に送信する。
【００７６】
それによって、第３の通信経路Ｋ３の通信不良の解消時において、親機１はより早く照明器具３の状態情報を取得することができる。
【００７７】
（実施形態３）
本実施形態の照明システムのブロック構成図を図６に示す。本実施形態の照明システムは、センサ２が照明器具３に着脱自在に構成されている。なお、実施形態１と同様の構成には、同一符号を付して説明は省略する。
【００７８】
センサ２は照明器具３ａにのみ取り付けられており、照明器具３の送受信部３３１を用いて親機１に検知結果を送信する。センサ２は、照明器具３ａ，３ｂ両方に対応付けられており、親機１は、センサ２の検知結果に基づいて生成した第１の調光信号を照明器具３ａ，３ｂに送信する。
【００７９】
また、本実施形態の照明システムは、実施形態２と同様に、親機１と照明器具３との間に中継器５を備えている。
【００８０】
親機１と中継器５との間は通信線Ｌ２で接続され、中継器５と照明器具３との間は通信線Ｌ３で接続されている。すなわち、本実施形態の照明システムにおける通信経路は、親機１と中継器５との間でデジタル信号が授受される第５の通信経路Ｋ５と、中継器５と照明器具３およびセンサ２との間でデジタル信号が授受される第６の通信経路Ｋ６とで構成されている。
【００８１】
センサ２の検知結果は、照明器具３ａの送受信部３３１から第６の通信経路Ｋ６を介して中継器５が中継し、中継器５から第５の通信経路Ｋ５を介して親機１に送信される。そして、親機１は、受信したセンサ２の検知結果に基づいて第１の調光信号を生成し、第５の通信経路Ｋ５を介して中継器５に送信され、中継器５はこれを中継して第６の通信経路Ｋ６を介して照明器具３に送信される。すなわち、第６の通信経路Ｋ６→第５の通信経路→第５の通信経路Ｋ５→第６の通信経路Ｋ６という一連の通信経路となる。
【００８２】
親機１の故障や通信線Ｌ５の断線等で第５の通信経路Ｋ５において、通信不良が発生した場合、中継器５は親機１からのデジタル信号を受信できないことから、第５の通信経路Ｋ５に通信不良が発生したと判断する。この場合、第６の通信経路Ｋ６は正常であるので、中継器５はセンサ２の検知結果を受信することができる。そこで、本実施形態では、中継器５の制御部５１が第２の調光信号生成部４ｃを備えており、第２の調光信号生成部４ｃは、センサ２の検知結果に基づいて、第２の調光信号を生成する。そして、中継器５は、センサ２に対応付けられた照明器具３ａ，３ｂに対して、第２の調光信号を送信する。それによって、第５の通信経路Ｋ５に通信不良が発生した場合でも、中継器５が親機１の代わりに第２の調光信号を生成することで、光源３１の調光制御を行うことができる。
【００８３】
また、中継器５の故障によって第６の通信経路Ｋ６において、通信不良が発生した場合、照明器具３は親機１から中継器５を介して送信されるデジタル信号を受信できないことから、第６の通信経路Ｋ６に通信不良が発生したと判断する。この場合、実施形態１と同様に、照明器具３に設けられている第２の調光信号生成部４ｂが第２の調光信号を生成する。このとき、照明器具３ａはセンサ２の検知結果を得ることができるので、センサ２の検知結果に基づいた第２の調光信号を生成する。それによって、センサ２の検知結果に応じた光源３１の調光制御を行うことができる。
【００８４】
これによって、センサ２が取り付けられた照明器具３ａは、センサ２の検知結果に応じた調光制御を行うことができるので、すべての照明器具３が所定の調光率で制御する場合に比べて、省エネ効果を得ることができる。
【００８５】
また、照明器具３の記憶部３３３は、センサ２に対応付けられた照明器具３ａ，３ｂのデータテーブルを記憶しており、照明器具３ａはセンサ２の検知結果に基づいた第２の調光信号を照明器具３ｂに送信するように構成してもよい。この場合、照明器具３が親機１の代わりにセンサ２の検知結果に基づいた第２の調光信号を生成する。それによって、中継器５が故障していても、照明器具３ａ，３ｂ間の通信が可能である場合、照明器具３ｂはセンサ２の検知結果に応じた光源３１の調光制御を行うことができる。
【００８６】
なお、本実施形態では、中継器５および照明器具３ａが、センサ２に対応付けられた照明器具３のデータテーブルを記憶しているが、状況によって使い分けてもよい。例えば、中継器５にのみ、このデータテーブルを記憶させておけば、照明器具３の制御負荷を軽くすることができる。また、照明器具３に記憶させておけば、中継器５がない場合や故障した場合でもセンサ２に応じた調光制御を行うことができる。
【符号の説明】
【００８７】
１    親機
２    センサ
３    照明器具
４ａ，４ｂ  第２の調光信号生成部
１１  制御部
１２  送受信部（通信不良検出部）
１３  記憶部
１４  報知部
１１１  第１の調光信号生成部
１１２  計時部
２１  検知部
２２  送受信部
２３  記憶部
３１  光源
３２  点灯回路
３３  調光制御部
３３１  送受信部
３３２  制御部
３３３  記憶部
Ｌ１，Ｌ２  通信線
Ｋ１，Ｋ２  第１，第２の通信経路
【図１】
2012227014.tif 000003
【図２】
2012227014.tif 000004
【図３】
2012227014.tif 000005
【図４】
2012227014.tif 000006
【図５】
2012227014.tif 000007
【図６】
2012227014.tif 000008
【図７】
2012227014.tif 000009
【図８】
2012227014.tif 000010